(57)【特許請求の範囲】
【請求項１】
シート受部に載置されたシート材のサイズを検出するシートサイズ検出部と、
前記シート受部から供給される前記シート材に画像を形成する印刷処理を実行する画像形成部と、
操作部に対する操作に応じて印刷条件を設定し、設定された前記印刷条件の情報と前記シートサイズ検出部の検出結果から特定される前記シート材のサイズの情報との対応関係を表す登録条件情報を不揮発性の第１記憶部に記憶させる条件登録部と、
前記第１記憶部から前記登録条件情報を取得する登録条件情報取得部と、
前記登録条件情報における前記シートサイズ検出部の検出サイズに対応する前記印刷条件に従った前記印刷処理を前記画像形成部に実行させる印刷制御部と、を備え、
前記シートサイズ検出部は、
前記シート受部に載置された前記シート材の両側辺の位置を案内する一対のシートガイド部の間隔を検出することにより、前記シート受部からの前記シート材の送出方向に直交する方向における前記シート材の寸法を検出するシート幅検出部と、
前記シート受部における前記送出方向の複数の位置で前記シート受部上の前記シート材の有無を検出することにより、前記送出方向における前記シート材の寸法を検出するシート長検出部と、
前記登録条件情報に基づく印刷を有効にする曜日および時間帯を表す効力期間情報を予め記憶する第２記憶部から前記効力期間情報を取得する効力期間情報取得部と、
印刷開始前の時点が前記効力期間情報の前記有効期間内であるか否かに応じて、前記登録条件情報の前記印刷条件に従った前記印刷処理を前記画像形成部に実行させるか否かを選択する第１選択部と、
ユーザー識別情報を入力する入力部と、
前記登録条件情報に基づく印刷を有効または無効にするユーザーを表す前記ユーザー識別情報を含む効力ユーザー情報を予め記憶する第３記憶部から前記効力ユーザー情報を取得する効力ユーザー情報取得部と、
前記入力部を通じて得られた前記ユーザー識別情報が前記効力ユーザー情報における有効または無効な前記ユーザーを表す情報であるか否かに応じて、前記登録条件情報の前記印刷条件に従った前記印刷処理を前記画像形成部に実行させるか否かを選択する第２選択部と、を備え、
前記登録条件情報取得部は、前記ユーザー識別情報ごとの前記シート材のサイズと前記印刷条件との対応関係を表す前記登録条件情報を記憶する前記第１記憶部から前記入力部を通じて得られた前記ユーザー識別情報に対応する前記登録条件情報を取得し、
前記効力期間情報取得部は、前記ユーザー識別情報ごとの前記効力期間情報を記憶する前記第２記憶部から前記入力部を通じて得られた前記ユーザー識別情報に対応する前記効力期間情報を取得する、画像形成装置。
【請求項２】
前記シート受部からの前記シート材の供給状況が予め定められた延長条件または短縮条件を満たすか否かに応じて、前記効力期間情報の前記有効期間を延長または短縮する有効期間修正部を備える、請求項１に記載の画像形成装置。
【請求項３】
前記シート材が前記シート受部から前記画像形成部へ供給されるごとに、前記シートサイズ検出部の検出サイズの変化の有無を判定するサイズ変化判定部を備え、
前記印刷制御部は、前記シートサイズ検出部の検出サイズが変化するごとに、変化後の前記検出サイズに対応する前記印刷条件に従った前記印刷処理を前記画像形成部に実行させる、請求項１または請求項２に記載の画像形成装置。
【請求項４】
前記画像形成部は、感光体上のトナー像を前記シートに転写する転写部および前記シートに形成された前記トナー像を加熱することにより前記トナー像を前記シートに定着させる定着部を備え、
前記印刷条件の情報が、前記転写部に印可される電圧の情報および前記定着部における加熱温度の情報を含む、請求項１から請求項３のいずれか１項に記載の画像形成装置。
【請求項５】
前記シート長検出部は、前記シート受部に前記シート材が載置されているか否かを検知するセンサーを兼ねる、請求項１から請求項４のいずれか１項に記載の画像形成装置。
【発明の詳細な説明】
【技術分野】
【０００１】
本発明は、画像形成装置に関する。
【背景技術】
【０００２】
一般に、手差しトレイを備える画像形成装置が知られている。前記手差しトレイは、画像形成部に供給されるシート材が載置されるシート受部の一例である。前記シート材は紙などの画像形成媒体である。
【０００３】
利用頻度の高い前記シート材は、収容枚数の多いカセット式のシート供給部内の前記シート受部に収容される場合が多い。一方、必要に応じた様々な種類の前記シート材が前記手差しトレイに載置される。
【０００４】
また、原稿画像の複写処理において、指定ページの複写に利用する用紙の種類をキー操作によって選択可能な前記画像形成装置が知られている（例えば、特許文献１参照）。
【先行技術文献】
【特許文献】
【０００５】
【特許文献１】特開平７−１８１７５６号公報
【発明の概要】
【発明が解決しようとする課題】
【０００６】
ところで、従来の前記画像形成装置において、前記手差しトレイを前記シート材の供給元とする印刷処理が行われる場合、ユーザーは、前記画像形成装置の操作部に対して前記シート材の種類に応じた印刷条件を選択する操作を行う必要がある。
【０００７】
しかしながら、種類の異なる前記シート材が前記手差しトレイに載置されるごとに前記印刷条件を選択する作業は、前記ユーザーにとって煩雑である。
【０００８】
本発明の目的は、様々な種類のシート材がシート受部に載置されるごとに前記シート材の種類に応じた印刷条件を選択する手間を省略することができる画像形成装置を提供することにある。
【課題を解決するための手段】
【０００９】
本発明の一の局面に係る画像形成装置は、シートサイズ検出部と、画像形成部と、登録条件情報取得部と、印刷制御部とを備える。前記シートサイズ検出部は、シート受部に載置されたシート材のサイズを検出する。前記画像形成部は、前記シート受部から供給される前記シート材に画像を形成する印刷処理を実行する。前記登録条件情報取得部は、登録条件情報を予め記憶する第１記憶部から前記登録条件情報を取得する。前記登録条件情報は、前記シート材のサイズと印刷条件との対応関係を表す情報である。前記印刷制御部は、前記登録条件情報における前記シートサイズ検出部の検出サイズに対応する前記印刷条件に従った前記印刷処理を前記画像形成部に実行させる。
【発明の効果】
【００１０】
本発明によれば、様々な種類のシート材がシート受部に載置されるごとに前記シート材の種類に応じた印刷条件を選択する手間を省略することができる画像形成装置を提供することが可能になる。
【図面の簡単な説明】
【００１１】
【図１】図１は、第１実施形態に係る画像形成装置の構成図である。
【図２】図２は、第１実施形態に係る画像形成装置が備える制御関連部のブロック図である。
【図３】図３は、第１実施形態に係る画像形成装置における手差し印刷制御の手順の一例を表すフローチャートである。
【図４】図４は、第１実施形態に係る画像形成装置が参照する登録ユーザー情報のデータ構成図である。
【図５】図５は、第１実施形態に係る画像形成装置が参照する登録条件情報のデータ構成図である。
【図６】図６は、第２実施形態に係る画像形成装置が備える制御関連部のブロック図である。
【図７】図７は、第２実施形態に係る画像形成装置における手差し印刷制御の手順の一例を表すフローチャートである。
【図８】図８は、第２実施形態に係る画像形成装置における効力期間判定処理の手順の一例を表すフローチャートである。
【図９】図９は、第２実施形態に係る画像形成装置が参照する効力期間情報のデータ構成図である。
【発明を実施するための形態】
【００１２】
以下、添付図面を参照しながら、本発明の実施形態について説明する。なお、以下の実施形態は、本発明を具体化した一例であって、本発明の技術的範囲を限定する性格を有さない。
【００１３】
［第１実施形態］
第１実施形態に係る画像形成装置１０は、複写機の機能を備える。例えば、画像形成装置１０が、プリンター、複写機およびスキャナーの各機能を備える複合機であることが考えられる。また、画像形成装置１０がファクシミリ通信機能を備えることも考えられる。
【００１４】
前記複写機として機能する画像形成装置１０は、原稿９０の画像を読み取り、その原稿９０の画像をシート材９に形成する複写ジョブを実行する。前記複写ジョブは、ユーザーの操作に応じて画像形成装置１０が受け付けるジョブであり、画像形成に関するジョブの一例である。シート材９は、紙、コート紙、ハガキ、封筒、およびＯＨＰシートなどのシート状の画像形成媒体である。
【００１５】
また、前記プリンターとして機能する画像形成装置１０は、不図示の情報処理装置から受信した印刷ジョブが表す画像をシート材９に形成する。
【００１６】
［画像形成装置１０の構成］
まず、図１を参照しつつ、画像形成装置１０の全体構成について説明する。図１が示すように、画像形成装置１０は、複数のシート供給部２、シート搬送部３、画像形成部４、光走査部５、定着部６、制御部８および操作表示部８０などを備える。画像形成部４、光走査部５および定着部６は、電子写真方式の印刷処理を実行する。
【００１７】
さらに、画像形成装置１０は、原稿搬送読取部１も備える。原稿搬送読取部１は、画像読取部１１およびＡＤＦ（Auto Document Feeder）１２を備える。画像読取部１１は、原稿台１１１、読取ユニット１１２、ミラーおよびレンズなどの光学系１１３及びイメージセンサー１１４などを備える。
【００１８】
原稿台１１１は、原稿９０が載置される部分であり、画像読取部１１の上面に設けられている。読取ユニット１１２は、原稿台１１１上の読取位置にある原稿９０に光を照射し、その反射光を光学系１１３へ向けて反射する。読取ユニット１１２は、副走査方向に移動可能である。なお、前記副走査方向は、図１に向かって左右の方向である。
【００１９】
光学系１１３は、原稿９０からの反射光をイメージセンサー１１４へ導く。イメージセンサー１１４は、光電変換素子などを備え、受光量に応じた電気信号を原稿９０の画像を表す画像データとして制御部８へ出力する。
【００２０】
ＡＤＦ１２は、原稿９０を搬送する複数の搬送ローラー１２２を備え、原稿載置部１２１にセットされた原稿９０を原稿台１１１上の前記読取位置を通過させて排紙トレイ１２３まで搬送する。
【００２１】
図１が示す例では、ＡＤＦ１２は、原稿９０が原稿載置部１２１に載置されているか否かを検知する原稿センサー８０２を備える。例えば、原稿センサー８０２が、原稿９０の荷重の有無によって状態が変化するマイクロスイッチであることが考えられる。
【００２２】
シート供給部２各々は、画像形成装置１０において印刷用のシート材９を画像形成部４へ供給する。シート供給部２は、シート受部２１およびシート送出部２２を備えている。
【００２３】
シート受部２１は、複数のシート材９を重ねて載置可能に構成されている。シート送出部２２は、シート受部２１に載置されたシート材９を１枚ずつ画像形成部４に通じる搬送路３０へ送り出す。シート材９は、シート供給部２からシート搬送部３を通じて画像形成部４へ供給される。
【００２４】
複数のシート供給部２は、カセット式の第１シート供給部２ａと手差し式の第２シート供給部２ｂとを含む。第１シート供給部２ａは、例えば給紙カセットまたは用紙カセットなどと称される。
【００２５】
第１シート供給部２ａは、画像形成装置１０の筐体１００（本体）に対して取り外し可能に装着されたカセット式のシート受部２１を備える。第２シート供給部２ｂは、画像形成装置１０の筐体１００（本体）に対して折り畳み可能な手差し式のシート受部２１を備える。
【００２６】
シート搬送部３は、レジストローラー３１、搬送ローラー３２および排出ローラー３３などを備える。レジストローラー３１および搬送ローラー３２が、シート供給部２から供給されるシート材９を搬送路３０に沿って画像形成部４へ向けて搬送する。さらに、排出ローラー３３が画像形成後のシート材９を搬送路３０の排出口から排出トレイ１０１上へ排出する。
【００２７】
画像形成部４は、シート供給部２のシート受部２１から供給されるシート材９に画像を形成する前記印刷処理を実行する。画像形成部４は、ドラム状の感光体４１、帯電部４２、現像部４３、転写部４５およびクリーニング部４７などを備える。なお、感光体４１は像担持体の一例である。
【００２８】
感光体４１が回転し、帯電部４２が感光体４１の表面を一様に帯電させる。さらに、光走査部５がレーザー光を走査することにより帯電した感光体４１の表面に静電潜像を書き込み、現像部４３が感光体４１にトナー９００を供給することにより、静電潜像をトナー像へ現像する。
【００２９】
また、転写部４５が、感光体４１の前記トナー像を搬送路３０を移動中のシート材９に転写する。さらに、クリーニング部４７が感光体４１表面に残存するトナー９００を除去する。
【００３０】
定着部６は、ヒーター６１０を内包する定着ローラー６１と加圧ローラー６２との間に前記トナー像が形成されたシート材９を挟み込み、後工程へ送り出す。その際、ヒーター６１０は、定着ローラー６１を介して、シート材９に形成された前記トナー像を加熱する。これにより、定着部６は、シート材９上の前記トナー像（画像）をシート材９上に定着させる。なお、トナー９００は現像剤の一例である。
【００３１】
操作表示部８０は、例えばタッチパネルおよび操作ボタンなどを含む情報入力用の操作部と、液晶表示パネルおよび通知ランプなどを含む表示部とを含む。例えば、前記操作部は、メニュー表示キー、カーソル移動キーおよび開始キーなどを含む。
【００３２】
前記メニュー表示キーは、各種の設定画面を前記表示部に表示させるための操作キーである。前記カーソル移動キーは、前記表示部に表示される前記設定画面におけるカーソルを移動させるための操作キーである。
【００３３】
前記開始キーは、原稿９０の画像を読み取る原稿スキャン処理およびその原稿スキャン処理を含む前記複写ジョブなどの各種の処理の開始イベントを発生させる操作キーである。また、前記タッチパネルは、例えばテキスト入力キーなどの各種の操作キーとして機能する。
【００３４】
本実施形態において、操作表示部８０は、認証情報入力部８００を含む。認証情報入力部８００は、画像形成装置１０に対するユーザーの操作に応じて、そのユーザーを識別するユーザー認証情報Ｄ００を入力する部品である。なお、認証情報入力部８００は、ユーザーを識別する情報を入力する入力部の一例である。
【００３５】
例えば、指紋情報をユーザー認証情報Ｄ００として入力する指紋センサー、近接するＲＦタグ（Radio Frequency Tag）から近距離無線通信によってユーザー認証情報Ｄ００を読み取るＲＦＩＤリーダー（Radio Frequency IDentifier Reader）またはＩＣカードからユーザー認証情報Ｄ００を読み取るＩＣカードリーダーなどが、認証情報入力部８００として採用されることが考えられる。
【００３６】
制御部８は、操作表示部８０に操作メニューおよび前記設定画面などを表示させる。さらに、制御部８は、操作表示部８０の操作を通じて入力される入力情報および各種センサーの検出結果に基づいて周辺装置およびモーターなどの電気機器を制御する。
【００３７】
［制御部８］
図２が示すように、制御部８は、主制御部８１、画像走査制御部８２、印刷制御部８３および画像処理部８４などおよび通信部８５などを備える。主制御部８１は、ＭＰＵ（Micro Processor Unit）８１１および記憶部８１２などを備える。
【００３８】
主制御部８１、画像走査制御部８２、印刷制御部８３、画像処理部８４および通信部８５は、それぞれバス８０００に接続されおり、バス８０００を通じて相互にデータの受け渡しが可能である。
【００３９】
ＭＰＵ８１１は、各種の演算およびデータ処理を実行するプロセッサーである。記憶部８１２は、ＭＰＵ８１１が参照する各種情報を記憶する不揮発性の記憶部である。また、記憶部８１２は、ＭＰＵ８１１による各種情報の読み書きが可能な記憶部でもある。
【００４０】
例えば、記憶部８１２は、ＭＰＵ８１１に各種の処理を実行させるためのプログラムおよびそれらのプログラムを実行するＭＰＵ８１１が参照する情報などを記憶する。また、本実施形態における記憶部８１２は、登録ユーザー情報Ｄ０を記憶する。
【００４１】
登録ユーザー情報Ｄ０は、当該画像形成装置１０を利用可能なユーザー各々を識別する情報を含む。図４は、登録ユーザー情報Ｄ０のデータ構成の一例を示す。
【００４２】
図４が示す例では、登録ユーザー情報Ｄ０は、相互に対応づけられたユーザー番号Ｄ０１およびユーザー認証情報Ｄ００を含む。ユーザー認証情報Ｄ００は、当該画像形成装置１０を利用可能なユーザー各々について、予め認証情報入力部８００を通じて入力された情報である。ユーザー番号Ｄ０１は、登録ユーザー情報Ｄ０に含まれるユーザー認証情報Ｄ００各々を識別する番号である。
【００４３】
ＭＰＵ８１１が記憶部８１２に予め記憶された各種のプログラムを実行することにより、主制御部８１は画像形成装置１０を統括的に制御する。主制御部８１は、ＭＰＵ８１１に後述する各工程を実行させるためのプログラムを一時記憶するＲＡＭなどの不図示の揮発性記憶部も備える。
【００４４】
画像走査制御部８２は、前記原稿スキャン処理において、原稿搬送読取部１を制御することによって原稿９０を走査する処理を実行するとともに、画像読取部１１から原稿画像データを取得する。前記原稿画像データは、原稿９０から読み取った画像データである。さらに、画像走査制御部８２は、バス８０００を通じて前記原稿画像データを画像処理部８４などの他の機器に転送する。
【００４５】
印刷制御部８３は、画像処理部８４から印刷用画像データを取得し、前記印刷用画像データ基づく画像をシート材９に形成する印刷処理を画像形成部４および光走査部５に実行させる。前記印刷処理は、前記原稿スキャン処理により得られる前記原稿画像データから変換された前記印刷用画像データについて、前記複写ジョブの一部として実行される。また、前記印刷処理は、前記印刷ジョブのデータから変換される前記印刷用画像データについても実行される。
【００４６】
画像処理部８４は、バス８０００を通じて他の機器から得た画像データなどに対する各種のデータ処理を実行する。画像処理部８４によるデータ処理の対象は、例えば、画像読取部１１から画像走査制御部８２を通じて得られる前記原稿画像データまたは端末装置７から通信部８５を通じて得られる前記印刷ジョブなどである。
【００４７】
例えば、画像処理部８４は、画像走査制御部８２から得られる前記原稿画像データおよび通信部８５から得られる印刷ジョブを前記印刷用画像データへ変換し、印刷制御部８３へ転送する処理を実行する。さらに、画像処理部８４は、画像走査制御部８２から得られる前記原稿画像データに対し、画像回転処理、ハーフトーン処理またはサイズカット処理などの画像処理を施す機能も備える。
【００４８】
通信部８５は、ＬＡＮ（Local Aria Network）などの通信回線を通じてパーソナルコンピューターなどの情報処理装置との間でデータの送受信を行う通信インターフェイスである。さらに、通信部８５は、バス８０００を通じて画像形成装置１０の他の機器とデータの受け渡しを行う。
【００４９】
例えば、主制御部８１は、ユーザー認証処理を実行し、ユーザー認証が成功した場合にのみ、予め定められた認証終了条件が成立するまで前記複写ジョブの実行などの画像形成装置１０の利用を許容する。
【００５０】
前記ユーザー認証処理は、認証情報入力部８００を通じてユーザー認証情報Ｄ００が入力された場合に、入力されたユーザー認証情報Ｄ００が登録ユーザー情報Ｄ０に含まれるか否かによって前記ユーザー認証の成否を判定する処理である。
【００５１】
また、主制御部８１は、操作表示部８０に対する複写開始操作を検知したときに、画像走査制御部８２および印刷制御部８３に対して前記複写ジョブを実行させる。その際、主制御部８１は、画像走査制御部８２に前記原稿スキャン処理を実行させ、印刷制御部８３に対して前記印刷処理を実行させる。
【００５２】
計時部８６は、日時を計時する時計回路である。計時部８６の計時情報は主制御部８１へ伝送される。
【００５３】
ところで、従来の画像形成装置において、手差し式の第２シート供給部２ｂをシート材９の供給元とする前記印刷処理が行われる場合、ユーザーは、前記画像形成装置の操作部に対してシート材９の種類に応じた画像形成条件を選択する操作を行う必要がある。
【００５４】
しかしながら、種類の異なるシート材９が第２シート供給部２ｂのシート受部２１に載置されるごとに前記画像形成条件を選択する作業は、前記ユーザーにとって煩雑である。
【００５５】
一方、画像形成装置１０によれば、様々な種類のシート材９が第２シート供給部２ｂのシート受部２１に載置されるごとにシート材９の種類に応じた前記画像形成条件を選択する手間を省略することができる。以下、その詳細について説明する。
【００５６】
［登録条件情報Ｄ１］
画像形成装置１０において、記憶部８１２は、第２シート供給部２ｂをシート材９の供給元とする前記複写ジョブが実行される前に、予め登録条件情報Ｄ１を記憶している。登録条件情報Ｄ１は、シート材９のサイズと印刷条件との対応関係を表す情報である。なお、記憶部８１２における登録条件情報Ｄ１を記憶する部分は、登録条件情報Ｄ１を予め記憶する第１記憶部の一例である。
【００５７】
図５は登録条件情報Ｄ１のデータ構成の一例を示す。図５が示す例では、登録条件情報Ｄ１は、第１登録条件情報Ｄ１ａと第２登録条件情報Ｄ１ｂとを含む。図５（Ａ）は、第１登録条件情報Ｄ１ａのデータ構成を示し、図５（Ｂ）は、第２登録条件情報Ｄ１ｂのデータ構成を示す。
【００５８】
第１登録条件情報Ｄ１ａは、ユーザー番号Ｄ０１と、これに対応づけられた供給シートサイズ情報Ｄ１１および印刷条件情報Ｄ１２の一部とを含む。さらに、第１登録条件情報Ｄ１ａは、ユーザー番号Ｄ０１に対応づけられたシート種類番号Ｄ１３を含む。
【００５９】
第２登録条件情報Ｄ１ｂは、シート種類番号Ｄ１３と、これに対応づけられたシート種類名Ｄ１４および印刷条件情報Ｄ１２の他の一部とを含む。
【００６０】
供給シートサイズ情報Ｄ１１は、向きを特定しないシート材９のサイズを表すシートサイズ情報Ｄ１１１と、シート受部２１に載置されたシート材９の向きを表すシート向き情報Ｄ１１２とを含む。
【００６１】
即ち、供給シートサイズ情報Ｄ１１は、シート受部２１から供給されるときのシート材９のサイズを表す情報、或いは、シート材９のサイズをその向きを特定して表す情報であるといえる。
【００６２】
印刷条件情報Ｄ１２は、前記複写ジョブが実行されるときの前記印刷条件を表す情報である。例えば、印刷条件情報Ｄ１２が、印刷面指定情報Ｄ１２１、画質指定情報Ｄ１２２、転写電圧設定情報Ｄ１２３および定着温度設定情報Ｄ１２４などを含むことが考えられる。
【００６３】
印刷面指定情報Ｄ１２１は、シート材９の片面にのみ画像を形成する片面印刷を行うか、シート材９の片面にのみ画像を形成する両面印刷を行うかを指定する情報である。
【００６４】
画質指定情報Ｄ１２２は、印刷画像の画質を指定する情報であり、例えば、標準、高質または節約などの選択肢から選択される。なお、前記選択肢の前記節約は、描画画素を間引くことによってトナー９００の使用量を抑制した画像を形成することを指定する情報である。
【００６５】
シート種類番号Ｄ１３は、普通紙、上質紙または光沢紙などのシート材９の種類を識別する番号であるとともに、シート材９の種類に適した前記印刷条件を表す印刷条件情報Ｄ１２を特定する情報でもある。
【００６６】
図５が示す例において、シート材９の種類に対応する印刷条件情報Ｄ１２は、前記印刷処理における制御パラメータを指定する情報の一例である転写電圧設定情報Ｄ１２３および定着温度設定情報Ｄ１２４などを含む。
【００６７】
転写電圧設定情報Ｄ１２３は、転写部４５に印可される電圧を指定する情報であり、定着温度設定情報Ｄ１２４は、定着部６におけるヒーター６１０の加熱温度の目標値を指定する情報である。
【００６８】
なお、シート種類名Ｄ１４は、第１登録条件情報Ｄ１ａが画像形成装置１０または画像形成装置１０と通信可能な情報処理装置においてユーザーの操作に従って設定される際に、前記ユーザーに対してシート材９の種類の選択肢として提示される情報である。
【００６９】
以上に示されるように、登録条件情報Ｄ１は、ユーザー番号Ｄ０１ごとのシート材９のサイズと前記印刷条件との対応関係を表す情報である。なお、ユーザー番号Ｄ０１およびユーザー認証情報Ｄ００の各々は、ユーザー識別情報の一例である。
【００７０】
また、登録条件情報Ｄ１において、ユーザー番号Ｄ０１が”０”であることは、特定のユーザーに関係しないことを意味する。即ち、ユーザー番号Ｄ０１の”０”に対応づけられた印刷条件情報Ｄ１２は、全ユーザーに共通の前記印刷条件または前記印刷条件の初期状態を示す。
【００７１】
［シートサイズセンサー８０１］
また、画像形成装置１０は、第２シート供給部２ｂのシート受部２１に載置されたシート材９のサイズを検出するシートサイズセンサー８０１を備える。なお、シートサイズセンサー８０１は、シートサイズ検出部の一例である。
【００７２】
例えば、シートサイズセンサー８０１が、シート幅検出部８０１ａおよびシート長検出部８０１ｂを備えることが考えられる。以下の説明において、シート受部２１からのシート材９の送出方向に直交する方向におけるシート材９の寸法のことをシート幅、シート材９の送出方向におけるシート材９の寸法のことをシート長と称する。
【００７３】
シート幅検出部８０１ａは、シート受部２１に載置されたシート材９の前記シート幅を検出する。例えば、シート幅検出部８０１ａが、一対のシートガイド部と可変抵抗部とを含むことが考えられる。
【００７４】
前記一対のシートガイド部は、シート材９の送出方向に直交する方向に沿って間隔を変更可能に構成され、シート材９の両側辺の位置を案内する部分である。前記可変定稿部は、前記一対のシート外部の間隔に応じて電気的抵抗が変化する電気部品である。この場合、前記可変定稿部を含む分圧抵抗回路の電圧が前記シート幅を表す。
【００７５】
また、シート長検出部８０１ｂは、第２シート供給部２ｂのシート受部２１に載置されたシート材９の前記シート長を検出する。例えば、シート長検出部８０１ｂが、それぞれシート材９の荷重の有無によって状態が変化する複数のマイクロスイッチを含むことが考えられる。複数の前記マイクロスイッチは、シート受部２１上にシート材９の放出方向に沿って並んで配置されている。この場合、ＯＮ状態の前記マイクロスイッチの個数が前記シート長を表す。
【００７６】
また、シート長検出部８０１ｂは、第２シート供給部２ｂのシート受部２１にシート材９が載置されているか否かを検知するシート検知センサーを兼ねる。
【００７７】
なお、シートサイズセンサー８０１が、光学式の非接触センサーであること、またはカメラおよびそのカメラで得られた画像データの画像処理を行う画像処理部を含むことなども考えられる。
【００７８】
［手差し印刷制御］
次に、図３に示されるフローチャートを参照しつつ、主制御部８１が実行する手差し印刷制御の手順の一例について説明する。ＭＰＵ８１１が手差し印刷制御プログラムＰｒ１を実行することにより、主制御部８１による前記手差し印刷制御が実現される。以下の説明において、Ｓ１０１，Ｓ１０２，…は、主制御部８１が実行する各工程の識別符号を表す。
【００７９】
主制御部８１は、シートサイズセンサー８０１によってシート受部２１上のシート材９が検知されている状態で、操作表示部８０に対する複写開始操作を検知したときに前記手差し印刷制御を実行する。また、前記複写開始操作が行われる前に、前記印刷条件の自動選択モードを指定するか否かが、操作表示部８０を通じて選択される。
【００８０】
前記自動選択モードは、画像形成装置１０が前記複写ジョブの実行時における前記印刷条件をシートサイズセンサー８０１の検出結果に応じて自動的に選択する動作モードである。以下の説明において、シートサイズセンサー８０１の検出結果によって特定されるシート材９のサイズのことを検出シートサイズと称する。
【００８１】
＜工程Ｓ１０１＞
前記手差し印刷制御において、主制御部８１は、前記印刷条件の前記自動選択モードが指定されているか否かを判定し、その判定結果に応じて次に実行する工程を選択する。
【００８２】
＜工程Ｓ１０２＞
前記自動選択モードが指定されている場合、主制御部８１は、シートサイズセンサー８０１の検出結果から前記検出シートサイズを特定する。
【００８３】
＜工程Ｓ１０３＞
さらに、主制御部８１は、記憶部８１２から登録条件情報Ｄ１を取得する。その際、主制御部８１は、工程Ｓ１０１の前に成功した前記ユーザー認証処理において認証情報入力部８００を通じて入力されたユーザー認証情報Ｄ００に対応する登録条件情報Ｄ１を記憶部８１２から読み出す。
【００８４】
なお、工程Ｓ１０３の処理を実行する主制御部８１は、シート材９のサイズと前記印刷条件との対応関係を表す登録条件情報Ｄ１を予め記憶する記憶部８１２から登録条件情報Ｄ１を取得する登録条件情報取得部の一例である。
【００８５】
＜工程Ｓ１０４＞
次に、主制御部８１は、登録条件情報Ｄ１における前記検出シートサイズに対応する前記印刷条件を選択する。即ち、主制御部８１は、工程Ｓ１０３で取得した登録条件情報Ｄ１において、前記検出シートサイズに相当する供給シートサイズ情報Ｄ１１に対応する印刷条件情報Ｄ１２を、これから実行する前記複写ジョブの実行時における前記印刷条件の情報として選択する。
【００８６】
なお、成功した前記ユーザー認証処理で用いられたユーザー認証情報Ｄ００に対応する登録条件情報Ｄ１が、前記検出シートサイズに相当する供給シートサイズ情報Ｄ１１を含まないことも考えられる。この場合、主制御部８１は、予め定められた前記印刷条件の初期状態を選択する。本実施形態において、登録条件情報Ｄ１においてユーザー番号Ｄ０１の”０”に対応づけられた印刷条件情報Ｄ１２が、前記印刷条件の初期状態を表す。
【００８７】
＜工程Ｓ１０５＞
一方、前記印刷条件の前記自動選択モードが指定されていない場合、主制御部８１は、前記複写ジョブの実行時における前記印刷条件として前記ユーザーによって予め指定された前記印刷条件を設定する。前記ユーザーの指定の前記印刷条件は、操作表示部８０に対する前記複写開始操作が行われる前に、操作表示部８０に対する操作に従って設定される。また、前記ユーザーによる前記印刷条件の指定が行われない場合、初期設定された前記印刷条件が採用される。
【００８８】
＜工程Ｓ１０６＞
さらに、主制御部８１は、前記原稿スキャン処理および前記印刷処理を含む前記複写ジョブを画像走査制御部８２および印刷制御部８３に実行させる。その際、印刷制御部８３は、工程Ｓ１０４で選択された前記印刷条件または工程Ｓ１０５で設定された前記印刷条件に従った１枚のシート材９への前記印刷処理を画像形成部４に実行させる。
【００８９】
なお、工程Ｓ１０６の処理が工程Ｓ１０４を経た後に実行される場合、印刷制御部８３は、登録条件情報Ｄ１における前記検出シートサイズに対応する前記印刷条件に従った前記印刷処理を画像形成部４に実行させる（Ｓ１０６）。
【００９０】
＜工程Ｓ１０７＞
そして、主制御部８１は、予め定められた複写終了条件が成立するか否かを判定し、前記印刷終了条件が成立すれば、前記複写ジョブを終了する。
【００９１】
例えば、前記複写終了条件は、操作表示部８０に対して予め定められた終了操作が行われたことを含む。また、前記複写終了条件が、連続読み込みモードが指定されていない状況下で原稿センサー８０２が原稿９０を検知する状態から検知しない状態へ変化したことを含むことも考えられる。なお、前記連続読み込みモードは、前記終了操作が行われるまで前記印刷条件を初期化せずに一連の前記複写ジョブの実行を継続する動作モードである。
【００９２】
＜工程Ｓ１０８＞
前記複写終了条件が成立していない場合、主制御部８１は、シートサイズセンサー８０１の検出結果から次のシート材９について前記検出シートサイズを特定する。その際、前回の前記検出シートサイズを一時記憶する。
【００９３】
＜工程Ｓ１０９＞
さらに、主制御部８１は、工程Ｓ１０８で得た前記検出シートサイズが前回の前記検出シートサイズから変化しているか否かを判定する。
【００９４】
前記検出シートサイズが変化していない場合、主制御部８１は、次の１枚のシート材９について工程Ｓ１０６からの処理を繰り返す。これにより、印刷制御部８３は、前回と同じ前記印刷条件に従った次の１枚のシート材９への前記印刷処理を画像形成部４に実行させる。
【００９５】
一方、前記検出シートサイズが前回から変化している場合、主制御部８１は、工程Ｓ１０３からの処理を繰り返す。これにより、主制御部８１は、新たな前記検出シートサイズに対応する前記印刷条件を選択し直すことから始める。
【００９６】
本実施形態において、登録条件情報Ｄ１が予め設定されることにより、シート材９が第２シート供給部２ｂのシート受部２１上に載置されるだけで、そのシート材９のサイズに応じた前記印刷条件が自動的に選択される。
【００９７】
従って、本実施形態によれば、シート材９が第２シート供給部２ｂのシート受部２１に載置されるごとにシート材９の種類に応じた前記印刷条件を選択する手間を省略することができる。その結果、様々な種類のシート材９が載置される手差し式の第２シート供給部２ｂを用いて前記印刷処理が行われる場合の利便性が高まる。
【００９８】
また、本実施形態において、記憶部８１２は、ユーザー識別情報の一例であるユーザー認証情報Ｄ００ごとのシート材９のサイズと前記印刷条件との対応関係を表す登録条件情報Ｄ１を記憶する。さらに、主制御部８１は、記憶部８１２から認証情報入力部８００を通じて得られたユーザー認証情報Ｄ００に対応する登録条件情報Ｄ１を取得する（Ｓ１０３）。
【００９９】
従って、前記ユーザー各々に適した前記印刷条件が自動選択される。その結果、前記ユーザー個別の利便性が高まる。
【０１００】
また、主制御部８１は、シート材９が第２シート供給部２ｂのシート受部２１から画像形成部４へ供給されるごとに、シートサイズセンサー８０１の検出サイズの変化の有無を判定する（Ｓ１０８，Ｓ１０９）。工程Ｓ１０８，Ｓ１０９の処理を実行する主制御部８１は、サイズ変化判定部の一例である。
【０１０１】
さらに、印刷制御部８３は、前記検出シートサイズが変化するごとに、変化後の前記検出シートサイズに対応する前記印刷条件に従った前記印刷処理を画像形成部４に実行させる（Ｓ１０３，Ｓ１０４，Ｓ１０６）。
【０１０２】
従って、前記印刷処理が複数枚のシート材９について実行される場合に、途中で種類の異なるシート材９が第２シート供給部２ｂのシート受部２１上に載置される場合でも、前記ユーザーは、シート材９の種類ごとに前記印刷条件を選択する操作を行う必要がない。
【０１０３】
［第２実施形態］
続いて、図６〜９を参照しつつ第２実施形態に係る画像形成装置１０Ａについて説明する。画像形成装置１０Ａは、画像形成装置１０と比較して、一部拡張された機能を備える。
【０１０４】
図６は、画像形成装置１０Ａが備える制御関連部のブロック図である。図７は、画像形成装置１０Ａにおける前記手差し印刷制御の手順の一例を表すフローチャートである。図８は、画像形成装置１０Ａにおける効力期間判定処理の手順の一例を表すフローチャートである。図９は、画像形成装置１０Ａが参照する効力期間情報Ｄ２のデータ構成図である。
【０１０５】
図６〜９において、図１〜５に示される構成要素と同じ構成要素は、同じ参照符号が付されている。以下、画像形成装置１０Ａにおける画像形成装置１０と異なる点について説明する。
【０１０６】
［効力期間情報Ｄ２］
画像形成装置１０Ａにおいて、記憶部８１２は、第２シート供給部２ｂをシート材９の供給元とする前記複写ジョブが実行される前に、予め登録条件情報Ｄ１に加えて効力期間情報Ｄ２を記憶している。効力期間情報Ｄ２は、登録条件情報Ｄ１に基づく前記印刷処理を有効にする期間を表す情報である。なお、記憶部８１２における有効期間情報Ｄ２１を記憶する部分は、効力期間情報Ｄ２を予め記憶する第２記憶部の一例である。
【０１０７】
図６が示す例では、効力期間情報Ｄ２は、登録条件情報Ｄ１に基づく前記印刷処理を有効にする期間を表す有効期間情報Ｄ２１を含む。例えば、有効期間情報Ｄ２１は、曜日、時間帯またはそれらの組み合わせであることが考えられる。また、有効期間情報Ｄ２１が、年月日を表す情報を含むことも考えられる。
【０１０８】
また、効力期間情報Ｄ２が、有効期間情報Ｄ２１の代わりに、または、有効期間情報Ｄ２１に加えて、無効期間情報を含むことも考えられる。この場合、前記無効期間情報が表す期間以外の期間が、登録条件情報Ｄ１に基づく前記印刷処理を有効にする期間である。
【０１０９】
また、本実施形態において、効力期間情報Ｄ２は、登録条件情報Ｄ１に基づく前記印刷処理を有効または無効にする対象を表すユーザー番号Ｄ０１を含む。即ち、効力期間情報Ｄ２は、ユーザー番号Ｄ０１ごとの有効期間情報Ｄ２１を含む。
【０１１０】
また、効力期間情報Ｄ２において、ユーザー番号Ｄ０１に対応する有効期間情報Ｄ２１として"Ｎｉｌ"を設定するこが可能である。有効期間情報Ｄ２１が"Ｎｉｌ"であることは、ユーザー番号Ｄ０１に対応する前記ユーザーについては、登録条件情報Ｄ１に基づく前記印刷処理が常に無効であること、即ち、常に有効期間外であることを意味する。
【０１１１】
ユーザー番号Ｄ０１ごとの有効期間情報Ｄ２１として"Ｎｉｌ"を設定可能な効力期間情報Ｄ２は、登録条件情報Ｄ１に基づく前記印刷処理を有効または無効にするユーザーを表す前記ユーザー識別情報を含む効力ユーザー情報の一例でもある。また、記憶部８１２における有効期間情報Ｄ２１を記憶する部分は、前記効力ユーザー情報を予め記憶する第３記憶部の一例でもある。
【０１１２】
さらに、画像形成装置１０Ａにおいて、記憶部８１２は、ＭＰＵ８１１に後述する効力期間判定処理を実行させるための効力期間判定プログラムＰｒ２も記憶している。
【０１１３】
［前記手差し印刷制御］
次に、図７に示されるフローチャートを参照しつつ、画像形成装置１０Ａにおいて主制御部８１が実行する前記手差し印刷制御の手順の一例について説明する。ＭＰＵ８１１が手差し印刷制御プログラムＰｒ１を実行することにより、主制御部８１による前記手差し印刷制御が実現される。以下の説明において、Ｓ２０１，Ｓ２０２，…は、画像形成装置１０Ａの主制御部８１が実行する各工程の識別符号を表す。
【０１１４】
画像形成装置１０Ａにおいても、主制御部８１は、画像形成装置１０の場合と同様の条件の下で前記手差し印刷制御を実行する。
【０１１５】
＜工程Ｓ２０１＞
画像形成装置１０Ａの主制御部８１は、図３の工程Ｓ１０１と同様に、前記印刷条件の前記自動選択モードが指定されているか否かを判定し、その判定結果に応じて次に実行する工程を選択する。
【０１１６】
＜工程Ｓ２０２＞
前記自動選択モードが指定されている場合、主制御部８１は、前記効力期間判定処理を実行する。前記効力期間判定処理は、現時点が登録条件情報Ｄ１に基づく前記印刷処理が有効な期間内であるか否かを判定する処理である。前記効力期間判定処理の詳細については後述する。なお、計時部８６が現時点の日時を計時する。
【０１１７】
＜工程Ｓ２０３〜Ｓ２０５＞
現時点が、登録条件情報Ｄ１に基づく前記印刷処理が有効な期間内であれば、主制御部８１は、図３の工程Ｓ１０２〜Ｓ１０４と同様に、前記検出シートサイズの特定（Ｓ２０３）、登録条件情報Ｄ１の取得（Ｓ２０４）および前記印刷条件の自動選択（Ｓ２０５）の各処理を実行する。
【０１１８】
＜工程Ｓ２０６＞
一方、前記印刷条件の前記自動選択モードが指定されていない場合、主制御部８１は、図３の工程Ｓ１０５と同様に、前記複写ジョブの実行時における前記印刷条件として前記ユーザーによって予め指定された前記印刷条件を設定する。
【０１１９】
＜工程Ｓ２０７＞
また、現時点が、登録条件情報Ｄ１に基づく前記印刷処理が有効な期間内でなければ、主制御部８１は、前記複写ジョブの実行時における前記印刷条件として全ユーザーに共通の前記印刷条件を選択する。全ユーザーに共通の前記印刷条件は、登録条件情報Ｄ１においてユーザー番号Ｄ０１の”０”に対応づけられた印刷条件情報Ｄ１２が表す条件である。
【０１２０】
＜工程Ｓ２０８＞
さらに、主制御部８１は、前記原稿スキャン処理および前記印刷処理を含む前記複写ジョブを画像走査制御部８２および印刷制御部８３に実行させる。その際、印刷制御部８３は、工程Ｓ２０５で選択された前記印刷条件、工程Ｓ２０５で設定された前記印刷条件または工程Ｓ２０７で選択された前記印刷条件に従った１枚のシート材９への前記印刷処理を画像形成部４に実行させる。
【０１２１】
＜工程Ｓ２０９＞
そして、主制御部８１は、図３の工程Ｓ１０７と同様に、前記複写終了条件が成立するか否かを判定する。
【０１２２】
＜工程Ｓ２１０，Ｓ２１１＞
前記複写終了条件が成立していない場合、主制御部８１は、図３の工程Ｓ１０８，Ｓ１０９と同様に、シートサイズセンサー８０１の検出結果から前記検出シートサイズを特定する処理（Ｓ２１０）および前記検出シートサイズが前回から変化しているか否かを判定する処理（Ｓ２１１）を実行する。
【０１２３】
前記検出シートサイズが変化していない場合、主制御部８１は、次の１枚のシート材９について工程Ｓ２０８からの処理を繰り返す。これにより、印刷制御部８３は、前回と同じ前記印刷条件に従った次の１枚のシート材９への前記印刷処理を画像形成部４に実行させる。
【０１２４】
一方、前記検出シートサイズが前回から変化している場合、主制御部８１は、工程Ｓ２０４からの処理を繰り返す。これにより、主制御部８１は、新たな前記検出シートサイズに対応する前記印刷条件を選択し直すことから始める。
【０１２５】
＜工程Ｓ２１２＞
一方、前記印刷終了条件が成立した場合、主制御部８１は、ジョブ実行履歴情報Ｄ３を記憶部８１２に記憶させる。ジョブ実行履歴情報Ｄ３は、画像形成装置１０による前記複写ジョブなどの各種のジョブの実行履歴を表す情報である。例えば、ジョブ実行履歴情報Ｄ３が、ジョブの種類ごとに最後に実行したジョブの日時を表す前回ジョブ終了日時情報と最後のジョブで使用したシート供給部２を識別する前回シート供給元情報とを含むことが考えられる。
【０１２６】
本実施形態においては、ジョブ実行履歴情報Ｄ３は、相互に対応づけられたユーザー番号Ｄ０１とジョブの種類ごとの前記前回ジョブ終了日時情報とを含む。ジョブ実行履歴情報Ｄ３に含められるユーザー番号Ｄ０１は、工程Ｓ２０１の前に成功した前記ユーザー認証処理において認証情報入力部８００を通じて入力されたユーザー認証情報Ｄ００に対応するユーザー番号Ｄ０１である。
【０１２７】
ジョブ実行履歴情報Ｄ３は、シート受部２１からのシート材９の供給状況を表す情報の一例である。また、本実施形態におけるジョブ実行履歴情報Ｄ３は、シート受部２１からのシート材９の供給状況を前記ユーザーごとに表す情報である。主制御部８１は、工程Ｓ２１２の処理の終了後、前記複写ジョブを終了する。
【０１２８】
［前記効力期間判定処理］
次に、図８が示すフローチャートを参照しつつ、前記効力期間判定処理の一例について説明する。ＭＰＵ８１１が効力期間判定プログラムＰｒ２を実行することにより、主制御部８１による前記効力期間判定処理が実現される。以下の説明において、Ｓ３０１，Ｓ３０２，…は、主制御部８１が実行する各工程の識別符号を表す。
【０１２９】
＜工程Ｓ３０１，Ｓ３０２＞
前記効力期間判定処理において、まず、主制御部８１は、記憶部８１２からジョブ実行履歴情報Ｄ３を取得し（Ｓ３０１）、さらに効力期間情報Ｄ２を取得する（Ｓ３０２）。その際、主制御部８１は、工程Ｓ２０１の前に成功した前記ユーザー認証処理において認証情報入力部８００を通じて入力されたユーザー認証情報Ｄ００に対応するジョブ実行履歴情報Ｄ３および効力期間情報Ｄ２を記憶部８１２から取得する。
【０１３０】
＜工程Ｓ３０３＞
次に、主制御部８１は、予め定められた短縮条件が成立するか否かを判定する。前記短縮条件は、有効期間情報Ｄ２１が表す期間を短縮するか否かを判定するための条件であり、シート受部２１からのシート材９の供給状況に関する条件である。
【０１３１】
例えば、前記短縮条件が、工程Ｓ３０２で取得した有効期間情報Ｄ２１が表す有効期間における始期から予め定められた短縮判定期間内に第２シート供給部２ｂをシート材９の供給元とするジョブが実行されていない、という条件であることが考えられる。
【０１３２】
前記短縮条件の判定において、第２シート供給部２ｂの使用状況は、工程Ｓ３０１で取得したジョブ実行履歴情報Ｄ３における前記前回シート供給元情報および前記前回ジョブ終了日時情報によって特定される。
【０１３３】
＜工程Ｓ３０４＞
前記短縮条件が成立する場合、主制御部８１は、工程Ｓ３０２で取得した有効期間情報Ｄ２１が表す有効期間を修正して短縮する。例えば、主制御部８１は、工程Ｓ３０２で取得した有効期間情報Ｄ２１が表す前記有効期間の終期を、前記有効期間の始期から前記短縮判定期間が経過した時点に修正することが考えられる。この場合、現在日時が修正後の前記有効期間内であると判定されることはない。なお、現在日時は、計時部８６によって計時される。
【０１３４】
＜工程Ｓ３０５＞
一方、前記短縮条件が成立しない場合、主制御部８１は、予め定められた延長条件が成立するか否かを判定する。前記延長条件は、有効期間情報Ｄ２１が表す期間を延長するか否かを判定するための条件であり、シート受部２１からのシート材９の供給状況に関する条件である。
【０１３５】
例えば、前記延長条件が、工程Ｓ３０２で取得した有効期間情報Ｄ２１が表す有効期間における終期から予め定められた延長判定期間を遡るまでの期間内に第２シート供給部２ｂをシート材９の供給元とするジョブが実行されている、という条件であることが考えられる。
【０１３６】
前記延長条件の判定において、第２シート供給部２ｂの使用状況は、工程Ｓ３０１で取得したジョブ実行履歴情報Ｄ３における前記前回シート供給元情報および前記前回ジョブ終了日時情報によって特定される。
【０１３７】
＜工程Ｓ３０６＞
前記延長条件が成立する場合、主制御部８１は、工程Ｓ３０２で取得した有効期間情報Ｄ２１が表す有効期間を修正して延長する。例えば、主制御部８１は、工程Ｓ３０２で取得した有効期間情報Ｄ２１が表す前記有効期間の終期を、予め定められた期間だけ後の時期に修正することが考えられる。
【０１３８】
＜工程Ｓ３０７＞
そして、主制御部８１は、現在日時が前記有効期間内であるか否かを判定する。前記短縮条件または前記延長条件の成立によって前記有効期間が短縮または延長されている場合、本工程において現在日時と比較される前記有効期間は、有効期間情報Ｄ２１が表す期間に修正が加えられた後の前記有効期間である。一方、前記短縮条件および前記延長条件が成立しない場合、本工程において現在日時と比較される前記有効期間は、有効期間情報Ｄ２１が表す期間である。
【０１３９】
工程Ｓ３０２の処理を実行する主制御部８１は、効力期間情報Ｄ２を予め記憶する記憶部８１２から効力期間情報Ｄ２を取得する効力期間情報取得部の一例である。
【０１４０】
また、工程Ｓ２０２の処理、即ち、工程Ｓ３０１〜Ｓ３０７の処理を実行する主制御部８１は、第１選択部の一例である。工程Ｓ２０２において、主制御部８１は、印刷開始前の時点が効力期間情報Ｄ２の前記有効期間内であるか否かに応じて、登録条件情報Ｄ１の前記印刷条件に従った前記印刷処理を画像形成部４に実行させるか否かを選択する。
【０１４１】
本実施形態によれば、登録条件情報Ｄ１に基づく前記印刷処理を有効または無効にする期間を効力期間情報Ｄ２によって予め設定することができる。そのため、登録条件情報Ｄ１の適用の自由度が高まる。
【０１４２】
また、工程Ｓ３０１〜Ｓ３０６の処理を実行する主制御部８１は、効力期間情報Ｄ２が表す前記有効期間を延長または短縮する有効期間修正部の一例である。前述したように、主制御部８１は、第２シート供給部２ｂのシート受部２１からのシート材９の供給状況が予め定められた前記延長条件または前記短縮条件を満たすか否かに応じて、効力期間情報Ｄ２が表す前記有効期間を延長または短縮する。
【０１４３】
本実施形態によれば、登録条件情報Ｄ１を有効にする期間を前記ユーザーによる画像形成装置１０の利用状況に応じて柔軟に短縮または延長することがでる。その結果、登録条件情報Ｄ１の適用の自由度がさらに高まる。
【０１４４】
また、工程Ｓ３０２の処理を実行する主制御部８１は、前記効力ユーザー情報を予め記憶する記憶部８１２から前記効力ユーザー情報を取得する効力ユーザー情報取得部の一例でもある。前述したように、有効期間情報Ｄ２１として"Ｎｉｌ"を設定可能な効力期間情報Ｄ２は、前記効力ユーザー情報の一例である。
【０１４５】
さらに、工程Ｓ２０２の処理、即ち、工程Ｓ３０１〜Ｓ３０７の処理を実行する主制御部８１は、第２選択部の一例でもある。工程Ｓ２０２において、主制御部８１は、認証情報入力部８００を通じて得られたユーザー認証情報Ｄ００が前記効力ユーザー情報における有効または無効な前記ユーザーを表す情報であるか否かに応じて、登録条件情報Ｄ１の前記印刷条件に従った前記印刷処理を画像形成部４に実行させるか否かを選択する。
【０１４６】
本実施形態によれば、一部の前記ユーザーを例外処理の対象とすることができ、登録条件情報Ｄ１の適用および非適用の自由度が高まる。
【０１４７】
[応用例]
以上に示された各実施形態において、画像形成装置１０の主制御部８１が、操作表示部８０に対する操作に応じて登録条件情報Ｄ１を設定し、その登録条件情報Ｄ１を記憶部８１２に記憶させる条件登録処理を実行することが考えられる。
【０１４８】
また、前記条件登録処理において、主制御部８１が、登録条件情報Ｄ１における供給シートサイズ情報Ｄ１１の設定の際に、シートサイズ情報自動設定処理を実行可能であることが考えられる。前記シートサイズ情報自動設定処理は、シートサイズセンサー８０１の検出結果から特定されるシート材９のサイズ情報を供給シートサイズ情報Ｄ１１として設定する処理である。これにより、前記ユーザーがシート材９のサイズに関する知識を有さない場合でも、シート材９がシート受部２１に載置されるだけで、適切な供給シートサイズ情報Ｄ１１が設定される。
【０１４９】
また、各実施形態において、登録条件情報Ｄ１および効力期間情報Ｄ２の一方または両方が、画像形成装置１０が通信可能な他の装置の記憶部に記憶されることも考えられる。この場合、画像形成装置１０の主制御部８１は、通信回線を通じて他の装置から登録条件情報Ｄ１および効力期間情報Ｄ２の一方または両方を取得する。
【０１５０】
なお、本発明に係る画像形成装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【０１５１】
１        ：原稿搬送読取部
２        ：シート供給部
２ａ      ：第１シート供給部
２ｂ      ：第２シート供給部
３        ：シート搬送部
４        ：画像形成部
５        ：光走査部
６        ：定着部
７        ：端末装置
８        ：制御部
９        ：シート材
１０      ：画像形成装置
１０Ａ    ：画像形成装置
１１      ：画像読取部
２１      ：シート受部
２２      ：シート送出部
３０      ：搬送路
３１      ：レジストローラー
３２      ：搬送ローラー
３３      ：排出ローラー
４１      ：感光体（像担持体）
４２      ：帯電部
４３      ：現像部
４５      ：転写部
４７      ：クリーニング部
６１      ：定着ローラー
６２      ：加圧ローラー
８０      ：操作表示部
８１      ：主制御部
８２      ：画像走査制御部
８３      ：印刷制御部
８４      ：画像処理部
８５      ：通信部
８６      ：計時部
９０      ：原稿
１００    ：筐体
１０１    ：排出トレイ
１１１    ：原稿台
１１２    ：読取ユニット
１１３    ：光学系
１１４    ：イメージセンサー
１２１    ：原稿載置部
１２２    ：搬送ローラー
１２３    ：排紙トレイ
６１０    ：ヒーター
８００    ：認証情報入力部（入力部）
８０１    ：シートサイズセンサー（シートサイズ検出部）
８０１ａ  ：シート幅検出部
８０１ｂ  ：シート長検出部
８０２    ：原稿センサー
８１１    ：ＭＰＵ
８１２    ：記憶部（第１記憶部、第２記憶部、第３記憶部）
９００    ：トナー
８０００  ：バス
Ｄ０      ：登録ユーザー情報
Ｄ００    ：ユーザー認証情報（ユーザー識別情報）
Ｄ０１    ：ユーザー番号（ユーザー識別情報）
Ｄ１      ：登録条件情報
Ｄ１１    ：供給シートサイズ情報
Ｄ１１１  ：シートサイズ情報
Ｄ１１２  ：シート向き情報
Ｄ１２    ：印刷条件情報
Ｄ１２１  ：印刷面指定情報
Ｄ１２２  ：画質指定情報
Ｄ１２３  ：転写電圧設定情報
Ｄ１２４  ：定着温度設定情報
Ｄ１３    ：シート種類番号
Ｄ１４    ：シート種類名
Ｄ１ａ    ：第１登録条件情報
Ｄ１ｂ    ：第２登録条件情報
Ｄ２      ：効力期間情報（効力ユーザー情報）
Ｄ２１    ：有効期間情報
Ｄ３      ：ジョブ実行履歴情報
Ｐｒ１    ：手差し印刷制御プログラム
Ｐｒ２    ：効力期間判定プログラム
【図１】
0006380201.tif 000002
【図２】
0006380201.tif 000003
【図３】
0006380201.tif 000004
【図４】
0006380201.tif 000005
【図５】
0006380201.tif 000006
【図６】
0006380201.tif 000007
【図７】
0006380201.tif 000008
【図８】
0006380201.tif 000009
【図９】
0006380201.tif 000010